(57)【要約】【課題】  ユーザに操作負担を強いず且つ端末の電力消費を抑えることができる。【解決手段】  情報収集システム１０４は、ユーザの行動に関する情報を取得する情報取得手段１００と、前記情報取得手段１００で取得した情報を蓄積保存する保存手段１０１と、特定のイベントの発生を検出する検出手段１０２と、前記検出手段１０２で特定のイベントが検出されたときに前記保存手段１０１に蓄積保存されていた情報をサーバに送信する送信手段１０３とを備える。【選択図】  図３
2013186539.tif 000002
【特許請求の範囲】
【請求項１】
ユーザの行動履歴に関する情報を収集する情報収集システムであって、
前記ユーザの行動に関する情報を取得する情報取得手段と、
前記情報取得手段で取得した情報を蓄積保存する保存手段と、
特定のイベントの発生を検出する検出手段と、
前記検出手段で特定のイベントが検出されたときに前記保存手段に蓄積保存されていた情報をサーバに送信する送信手段と
を備えたことを特徴とする情報収集システム。
【請求項２】
前記特定のイベントは、写真の撮影時に発生するイベントであることを特徴とする請求項１に記載の情報収集システム。
【請求項３】
前記特定のイベントは、サーバ上のコンテンツへの文章書き込み時に発生するイベントであることを特徴とする請求項１に記載の情報収集システム。
【請求項４】
前記特定のイベントは、電子マネー決済時に発生するイベントであることを特徴とする請求項１に記載の情報収集システム。
【請求項５】
ユーザの行動履歴に関する情報を収集する情報収集方法であって、
前記ユーザの行動に関する情報を取得する情報取得工程と、
前記情報取得工程で取得した情報を蓄積保存する保存工程と、
特定のイベントの発生を検出する検出工程と、
前記検出工程で特定のイベントが検出されたときに前記保存工程で蓄積保存されていた情報をサーバに送信する送信工程と
を含むことを特徴とする情報収集方法。
【請求項６】
コンピュータに、
ユーザの行動に関する情報を取得する情報取得手段、
前記情報取得手段で取得した情報を蓄積保存する保存手段、
特定のイベントの発生を検出する検出手段、
前記検出手段で特定のイベントが検出されたときに前記保存手段に蓄積保存されていた情報をサーバに送信する送信手段
としての機能を与えることを特徴とするプログラム。
【発明の詳細な説明】
【技術分野】
【０００１】
本発明は、情報収集システム、情報収集方法及びプログラムに関し、詳細には、所要のサービスを提供するために必要な、ユーザに関する様々な情報を収集する情報収集システム、情報収集方法及びプログラムに関する。
【背景技術】
【０００２】
近年、インターネット上で、たとえば、宿泊先一覧の提供と予約の処理とを基本とする宿泊予約サービスなどが提供されている。こうしたサービスにおいて、他の類似サービスとの差別化を図ためには、上記の基本サービス（宿泊先一覧の提供と予約）に加えて、さらに、宿泊予約者に対する柔軟な付加的サービスを提供することが考えられる。たとえば、宿に到着する前のユーザの行動履歴に関する情報をサーバで収集し、その情報に応じて宿泊先での食事内容に変更を加えるなどといった付加的サービスである。
【０００３】
幸いなことに、今日ではスマートフォンなどの携帯型通信端末（以下、携帯端末という）の普及が進んでいることから、この携帯端末を利用することによって、ユーザの情報を収集することが可能である。
【０００４】
携帯端末を用いてユーザの情報を収集する技術としては、たとえば、下記の特許文献１〜３に記載のものが知られている。
【０００５】
下記の特許文献１には、ユーザの健康状態に関する情報を携帯端末で収集し、その情報をサーバに送信して健康状態を判定するとともに、その判定結果を携帯端末に返送して端末上に表示するという技術が記載されている。
また、下記の特許文献２には、携帯端末からサーバにユーザ情報を送信し、サーバでユーザが予定する行動実現の支援ならぴに予定の行動に付随して実行しうる行動示唆に適した行動支援情報を生成し、それらの情報を携帯端末に返送して端末上に表示するという技術が記載されている。
また、下記の特許文献３には、デバイス知識ＤＢ１０５から実世界デバイス１０２と携帯端末１０１との通信時のユーザの行動を取得するユーザ行動取得部２０６と、タスク知識ＤＢ１０３からユーザの行動に関連して発生する関連タスクをタスク候補として取得する関連タスク取得部２０４と、サービス知識ＤＢ１０４からタスク候補の実現を支援するためのサービス候補を取得するサービス取得部２０５と、取得したサービス候補及びタスク候補を携帯端末１０１に送信するサービス送信部２００とを備えたサービス推薦サーバ１００が記載されている。
【先行技術文献】
【特許文献】
【０００６】
【特許文献１】特開２００３−０５０８６７号公報
【特許文献２】特開２００４−２７１３２１号公報
【特許文献３】特開２００７−０９４４９２号公報
【発明の概要】
【発明が解決しようとする課題】
【０００７】
上記の特許文献１〜３に記載の技術では、携帯端末からサーバへの送信タイミング（ユーザ情報の送信タイミング）について、以下のとおり説明されている。
＜特許文献１＞
ユーザによって緊急（ＳＯＳ）が選択されたとき（段落〔００３３〕）、制御パネル１５から送信開始の指示が入力されたとき（段落〔００３５〕）、歩行者が携帯情報端末Ａにより健康チェック要求又は情報提供要求をする場合（段落〔００５０〕）。
＜特許文献２＞
ユーザが自身の位置、状態、趣好および予定の行動に関する情報をユーザ端末から行動支援サーバに送る（段落〔００１１〕）。
＜特許文献３＞
接続要求送信部はユーザから実世界デバイスへの接続要求を受けたときに実世界デバイスに接続要求を行う（段落〔００２９〕）。
これらの記載から理解される送信タイミングは、特許文献１ではユーザ操作に基づくものとシステムの制御指示に基づくものの二つの送信タイミング、特許文献２、３ではユーザ操作に基づく一つの送信タイミングであると解される。
【０００８】
かかる送信タイミングの不都合な点は、ユーザの操作負荷が大きいこと、また、携帯端末の電力消費が大きい（バッテリが減りやすい）ことにある。すなわち、ユーザ操作に基づくものは、いちいちユーザがメニューを開いてボタン等を押す必要があり、手間がかかって面倒であるという操作負担上の不都合があり、一方、システムの制御指示に基づくものは、そのような不都合はないものの、定期的にデータを送信するため、それだけ電力消費が大きく、バッテリが減りやすいという不都合がある。
【０００９】
そこで、本発明の目的は、ユーザに操作負担を強いず且つ電力消費を抑えることができる情報収集システム、情報収集方法及びプログラムを提供することにある。
【課題を解決するための手段】
【００１０】
本発明の情報収集システムは、ユーザの行動履歴に関する情報を収集する情報収集システムであって、前記ユーザの行動に関する情報を取得する情報取得手段と、前記情報取得手段で取得した情報を蓄積保存する保存手段と、特定のイベントの発生を検出する検出手段と、前記検出手段で特定のイベントが検出されたときに前記保存手段に蓄積保存されていた情報をサーバに送信する送信手段とを備えたことを特徴とする。
本発明の情報収集方法は、ユーザの行動履歴に関する情報を収集する情報収集方法であって、前記ユーザの行動に関する情報を取得する情報取得工程と、前記情報取得工程で取得した情報を蓄積保存する保存工程と、特定のイベントの発生を検出する検出工程と、前記検出工程で特定のイベントが検出されたときに前記保存工程で蓄積保存されていた情報をサーバに送信する送信工程とを含むことを特徴とする。
本発明のプログラムは、コンピュータに、ユーザの行動に関する情報を取得する情報取得手段、前記情報取得手段で取得した情報を蓄積保存する保存手段、特定のイベントの発生を検出する検出手段、前記検出手段で特定のイベントが検出されたときに前記保存手段に蓄積保存されていた情報をサーバに送信する送信手段としての機能を与えることを特徴とする。
【発明の効果】
【００１１】
本発明によれば、ユーザに操作負担を強いず且つ電力消費を抑えることができる情報収集システム、情報収集方法及びプログラムを提供することができる。
【図面の簡単な説明】
【００１２】
【図１】実施形態のシステム構成図である。
【図２】実施形態の動作フローを示す図である。
【図３】付記１の構成図である。
【発明を実施するための形態】
【００１３】
以下、本発明の実施形態を、宿泊予約サービスへの適用を例にして、図面を参照しながら説明する。
まず、構成を説明する。
図１は、実施形態のシステム構成図である。この図において、情報収集システム１は、インターネット等のネットワーク２に接続された宿泊予約サービス運用サーバ３（以下、単にサーバ３という）と、同じくネットワーク２に接続された各々１台ないしは複数台の二種類の端末装置４、５とを含んで構成されている。
【００１４】
ここで、二種類の端末装置４、５の一方を「サービス利用端末４」といい、他方を「サービス提供端末５」ということにする。“サービス利用”とは、サーバ３が提供する宿泊予約に関する様々なサービスを利用するという意味であり、また、“サービス提供”とは、サーバ３を介してサービス利用端末４に提供するサービスの内容を設定するという意味である。実施形態のサービスは基本的に宿泊予約であるので、サービス利用端末４は宿泊予約者が携帯する端末装置（スマートフォンなどの携帯電話機等）、サービス提供端末５は宿泊先のホテルや旅館等に設置された端末装置（据え置き型のパーソナルコンピュータ等）である。
【００１５】
＜サービス利用端末４の構成＞
サービス利用端末４は、アプリデータ保持部６、アプリ部７、ユーザインターフェース部８、ＧＰＳ管理部９、センサ情報取得部１０、通信部１１、決済機能部１２、及び、実行管理部１３などを備える。なお、これら以外にもバッテリを含む電源部を備えるが、図面の輻輳を避けるために省略している。
【００１６】
ユーザインターフェース部８は、不図示のタッチパネルなどからのユーザ操作入力を受け付けるとともに、実行管理部１３から適宜に出力される情報を不図示の液晶パネル等の表示部に表示する。
【００１７】
アプリ部７は、サーバ３から任意にダウンロードする所定のアプリケーションプログラムを格納し、アプリデータ保持部６は、その所定のアプリケーションプログラムの実行によって得られたデータを保持する。ここで、所定のアプリケーションプログラムは、実施形態における「宿泊予約サービス」の付加的サービスを実現するための支援プログラムであり、特に予約した宿泊先に向かって行動中のユーザの様々な行動履歴を収集し、所定のタイミングでサーバ３に送信する処理を担う中核的なプログラム要素である。なお、“アプリ”とはアプリケーションプログラムの略である。
【００１８】
所定のアプリケーションプログラムは、以下の機能をサービス利用端末４に実装する。
（第一の機能）ＧＰＳ管理部９やセンサ情報取得部１０に定期的にアクセスし、それらの取得情報（ＧＰＳ情報や各種センサ情報）をアプリデータ保持部６に蓄積保存する機能。
（第二の機能）サービス利用端末４で特定のイベントが発生したときに、ＧＰＳ管理部９やセンサ情報取得部１０にアクセスして、ＧＰＳ情報や各種センサ情報を取得すると共に、それらの取得情報と、アプリデータ保持部６に蓄積保存されていた情報とを、ユーザの行動履歴に関する情報としてサーバ３に送信する機能。特定のイベントとは、たとえば、サービス利用端末４のカメラで写真が撮影されたときに発生するイベント、または、サービス利用端末４の文章作成機能で任意の文章作成が行われたときに発生するイベント、または、決済機能部１２で決済が行われたときに発生するイベントなどである。
【００１９】
ＧＰＳ管理部９は、不図示のＧＰＳアンテナで受信した複数のＧＰＳ衛星からの電波に基づき、サービス利用端末４の位置情報、すなわち、このサービス利用端末４を携行するユーザの位置情報（地球上における緯度経度の情報と必要であれば高度の情報）を測位して管理する。
【００２０】
センサ情報取得部１０は、このサービス利用端末４に備えられた様々なセンサの情報を取得して管理する。センサは、たとえば、カメラなどの撮像センサや加速度センサ、温度センサ、湿度センサ、気圧センサ、歩行センサなど様々考えられる。あるいは、これらのセンサは、サービス利用端末４に組み込まれた内蔵型のセンサに限らず、たとえば、ブルーツース（登録商標）などの近距離無線媒体で接続された外部型のセンサを含んでいてもよい。外部型のセンサとしては、ユーザの体に装着して体温や脈拍、血圧などを検出する生体センサなどが考えられる。
【００２１】
通信部１１は、必要に応じ、不図示の無線アンテナを介して最寄りの基地局（携帯電話基地局またはＷｉＦｉ用のアクセスポイント）との間で通信を行い、この基地局とネットワーク２とを介してサーバ３にアクセスする。決済機能部１２は、食事代や商品代などの電子マネー決済を行う。
【００２２】
実行管理部１３は、コンピュータ（ＣＰＵ１３ａ）や、プログラム記憶用の不揮発性半導体メモリ（ＲＯＭ１３ｂ）及びプログラム実行用の高速半導体メモリ（ＲＡＭ１３ｃ）並びに不図示の周辺回路（入出力部等）で構成された汎用のプログラム制御要素である。この実行管理部１３は、ＲＯＭ１３ｂに書き込まれている制御プログラム（基本プログラムや応用プログラム及びそれらのプログラムに必要とされる各種データ）ならびにアプリ部７に格納されている所定のアプリケーションプログラムをＲＡＭ１３ｂにロードして、ＣＰＵ１３ａで実行することにより、サービス利用端末４の全体動作を統括管理する。
【００２３】
＜サービス提供端末５の構成＞
サービス提供端末５は、ＷＥＢデータ保持部１４、ＷＥＢブラウザ部１５、ユーザインターフェース部１６、通信部１７、及び、実行管理部１８などを備える。
【００２４】
ユーザインターフェース部１６は、不図示のキーボードやマウスなどからのユーザ操作入力を受け付けるとともに、実行管理部１８から適宜に出力される情報を不図示の液晶パネル等の表示部に表示する。
【００２５】
通信部１７は、必要に応じ、光ファイバー等の通信媒体とネットワーク２とを介してサーバ３にアクセスし、ＷＥＢブラウザ部１５は、サーバ３で提供されるサービス提供者用のＷＥＢ画面を開き、所望のサービス情報の設定を行う。サービス情報とは、たとえば、空き室の情報、宿泊代金の情報、食事内容の情報・・・・などの宿泊予約に必要な様々な情報である。ＷＥＢデータ保持部１４は、設定されたそれらの情報を保持する。
【００２６】
実行管理部１８は、コンピュータ（ＣＰＵ１８ａ）や、プログラム記憶用のハードディスク（ＨＤＤ１８ｂ）及びプログラム実行用の高速半導体メモリ（ＲＡＭ１８ｃ）並びに不図示の周辺回路（入出力部等）で構成された汎用のプログラム制御要素である。この実行管理部１８は、ＨＤＤ１８ｂに書き込まれている制御プログラム（基本プログラムや応用プログラム及びそれらのプログラムに必要とされる各種データ）をＲＡＭ１８ｃにロードして、ＣＰＵ１８ａで実行することにより、サービス提供端末５の全体動作を統括管理する。
【００２７】
＜サーバ３の構成＞
サーバ３は、通信部１９、ＷＥＢページ作成部２０、アプリ作成部２１、アプリ配信部２２、会員情報保持部２３、サービス情報保持部２４、及び、端末アクセス管理部２５などを備える。
【００２８】
通信部１９は、光ファイバーなどの高速専用回線を介して常にネットワーク２に接続し、ネットワーク２上のサービス利用端末４やサービス提供端末５からの要求に応じて、それらの要求元端末との間でデータの送受信を行う。
【００２９】
ＷＥＢページ作成部２０は、サービス提供端末５用のＷＥＢページ（前記の「サービス提供者用のＷＥＢ画面」）を作成し、サービス提供端末５からの要求に応じて、その画面を送信する。
【００３０】
アプリ作成部２１は、サービス利用端末４用のアプリ（前記の「所定のアプリケーションプログラム」）を作成し、アプリ配信部２２は、サービス利用端末４からの要求に応じて、そのアプリを要求元に配信する。
【００３１】
会員情報保持部２３は、サーバ３が提供するサービス（宿泊予約サービス）を利用する会員（サービス利用端末４とサービス提供端末５の各々のユーザ）の情報を保持する。
【００３２】
サービス情報保持部２４は、サービス提供端末５から設定されたサービス提供情報を保持する。
【００３３】
端末アクセス管理部２５は、コンピュータ（ＣＰＵ２５ａ）や、プログラム記憶用のハードディスク（ＨＤＤ２５ｂ）及びプログラム実行用の高速半導体メモリ（ＲＡＭ２５ｃ）並びに不図示の周辺回路（入出力部等）で構成された汎用のプログラム制御要素である。この端末アクセス管理部２５は、ＨＤＤ２５ｂに書き込まれている制御プログラム（基本プログラムや応用プログラム及びそれらのプログラムに必要とされる各種データ）をＲＡＭ２５ｃにロードして、ＣＰＵ２５ａで実行することにより、サーバ３の全体動作を統括管理する。
【００３４】
次に、作用を説明する。
図２は、実施形態の動作フローを示す図である。図示の動作フローは、サービス利用端末４とサーバ３及びサービス提供端末５の各々の動作を時系列的に示す、いわゆるタイムライン形式になっているが、これは説明上の便宜である。すなわち、サービス利用端末４の実行管理部１３と、サーバ３の端末アクセス管理部２５と、サービス提供端末５の実行管理部１８とで各々個別に行われる動作を相互の関係に合わせて時間軸上に揃えたものである。したがって、以下の説明における動作の主体は、サービス利用端末４の実行管理部１３、サーバ３の端末アクセス管理部２５、または、サービス提供端末５の実行管理部１８である。
【００３５】
まず、サーバ３は、サービス利用端末４とサービス提供端末５の各々から適宜に行われる会員登録（ステップＳ１、ステップＳ２）を受け付け、それらの会員情報を会員情報保持部２３に保持する（ステップＳ３）。なお、この図では、サービス利用端末４からの会員登録とサービス提供端末５からの会員登録とを同時に行うように描いているが、これは図示の都合である。実際には別々の時間で会員登録が行われる。
【００３６】
会員登録を完了すると、次に、サービス提供端末５は、所要のサービス提供情報をサーバ３に登録し（ステップＳ４）、サーバ３はその登録情報を受け付けてサービス情報保持部２４に保持する（ステップＳ５）。さらに、サービス提供端末５は、前記の付加的サービスに必要な様々な情報、たとえば、ユーザの位置情報や必要なセンサ情報などをサーバ３に登録し（ステップＳ６）、サーバ３はその登録情報を受け付けてサービス情報保持部２４に保持する（ステップＳ７）。
【００３７】
一方、この宿泊予約サービスを利用するユーザは、自分の端末（サービス利用端末４）を操作し、サーバ３にアクセスして所望の宿泊先を見つけ出して予約する（ステップＳ８）。サーバ３は、そのユーザが登録済みの会員であるか否かの認証を行い、登録済みの会員であれば、その予約情報を予約先のサービス提供端末５に送信（ステップＳ９）し、送信先のサービス提供端末５で予約の受付を行う（ステップＳ１０）。
【００３８】
次いで、この宿泊予約サービスを利用するユーザは、上記の予約操作と同時又は事後に、自分の端末（サービス利用端末４）を操作し、サーバ３にアクセスして前記の付加的サービスの申し込みを行う（ステップＳ１１）。
【００３９】
サーバ３は、付加的サービスの申し込みを受け付け（ステップＳ１２）、付加的サービスに必要な所定のアプリケーションプログラムをアプリ作成部２１で作成し、アプリ配信部２２からユーザのサービス利用端末４に配信する（ステップＳ１３）。
【００４０】
配信先のサービス利用端末４は、所定のアプリケーションプログラムをアプリ部７に格納すると共に、その所定のアプリケーションプログラムを実行管理部１３のＲＡＭ１３ｃにロードしてＣＰＵ１３ａで実行する（ステップＳ１４）。
【００４１】
このようにして、所定のアプリケーションプログラムを起動したサービス利用端末４は、前記の第一の機能に従い、ＧＰＳ管理部９やセンサ情報取得部１０に定期的にアクセスし、それらの取得情報（ＧＰＳ情報や各種センサ情報）をアプリデータ保持部６に蓄積保存する（ステップＳ１５）。
【００４２】
以降、サービス利用端末４は、前記の第一の機能に従い、前記のステップＳ１５の動作を所定の時間ごとに繰り返し実行するが、このサービス利用端末４で特定のイベントが発生したとき（ステップＳ１６）、たとえば、サービス利用端末４のカメラ撮影イベントが発生したときには、そのカメラの起動と撮影完了とを待ってから、前記の第二の機能に従い、ＧＰＳ管理部９やセンサ情報取得部１０にアクセスして、ＧＰＳ情報や各種センサ情報を取得する（ステップＳ１７）と共に、それらの取得情報と、アプリデータ保持部６に蓄積保存されていた情報とを一緒にし、ユーザの行動履歴に関する情報としてサーバ３に送信する（ステップＳ１８）。
【００４３】
サーバ３は、サービス利用端末４から送られてきた情報（ユーザの行動履歴に関する情報）を受信し（ステップＳ１９）、必要に応じ、宿予約サイトのレビュー欄や写真欄などの更新を行う（ステップＳ２０）とともに、その情報（ユーザの行動履歴に関する情報）をサービス提供端末５に送信する。
【００４４】
したがって、予約先の宿泊施設では、サービス提供端末５に送られてきた情報、すなわち、ユーザの行動履歴に関する情報を参考にして、たとえば、夕食のメニューを変更したり、あるいは、行動中の運動量が少ない場合の運動不足解消に付近の散策路を紹介したりするなどの付加的サービスを計画し、ユーザに提供することが可能となり、他の同種サービスとの差別化を図ることができる。
【００４５】
加えて、実施形態では、サービス利用端末４からサーバ３へのデータ送信を、サービス利用端末４で特定のイベント（ステップＳ１６：たとえば写真の撮影イベント）が発生したときにのみ行うようにしたので、手作業によるデータの送信操作を不要にしてユーザの操作負担を軽減できる上、必要最小限のデータ送信で済むから、バッテリの消耗も抑えることができる。
【００４６】
なお、実施形態では、データ送信の契機（きっかけ）となる特定のイベントを写真の撮影イベントとしているが、これに限定されない。たとえば、サービス利用端末４の文章作成機能で任意の文章作成（宿予約サイトのレビュー欄への書き込みなど）が行われたときに発生するイベントや、決済機能部１２で決済が行われたときに発生するイベントなどであってもよい。要は、ユーザの行動に関係して任意に発生するイベントであればよい。
【００４７】
また、実施形態では、宿泊予約サービスへの適用を例にしているが、これにも限定されない。ユーザの行動を支援する任意のサービスであればよく、たとえば、ナビゲーションサービスなどにも適用可能である。
【００４８】
以下、本発明の特徴を付記する。
上記の実施形態の一部又は全部は、以下の付記のようにも記載されうるが、以下には限られない。
（付記１）
図３は、付記１の構成図である。
付記１は、ユーザの行動履歴に関する情報を収集する情報収集システムであって、
前記ユーザの行動に関する情報を取得する情報取得手段１００（実施形態のＧＰＳ管理部９及びセンサ情報取得部１０に相当）と、
前記情報取得手段１００で取得した情報を蓄積保存する保存手段１０１（実施形態のアプリデータ保持部６に相当）と、
特定のイベントの発生を検出する検出手段１０２（実施形態の実行管理部１３に相当）と、
前記検出手段１０２で特定のイベントが検出されたときに前記保存手段１０１に蓄積保存されていた情報をサーバに送信する送信手段１０３（実施形態の実行管理部１３及び通信部１１に相当）と
を備えたことを特徴とする情報収集システム１０４（実施形態の情報収集システム１に相当）である。
（付記２）
付記２は、前記特定のイベントは、写真の撮影時に発生するイベントであることを特徴とする付記１に記載の情報収集システムである。
（付記３）
付記３は、前記特定のイベントは、サーバ上のコンテンツへの文章書き込み時に発生するイベントであることを特徴とする付記１に記載の情報収集システムである。
（付記４）
付記４は、前記特定のイベントは、電子マネー決済時に発生するイベントであることを特徴とする付記１に記載の情報収集システムである。
（付記５）
付記５は、ユーザの行動履歴に関する情報を収集する情報収集方法であって、
前記ユーザの行動に関する情報を取得する情報取得工程と、
前記情報取得工程で取得した情報を蓄積保存する保存工程と、
特定のイベントの発生を検出する検出工程と、
前記検出工程で特定のイベントが検出されたときに前記保存工程で蓄積保存されていた情報をサーバに送信する送信工程と
を含むことを特徴とする情報収集方法である。
（付記６）
付記６は、コンピュータに、
ユーザの行動に関する情報を取得する情報取得手段、
前記情報取得手段で取得した情報を蓄積保存する保存手段、
特定のイベントの発生を検出する検出手段、
前記検出手段で特定のイベントが検出されたときに前記保存手段に蓄積保存されていた情報をサーバに送信する送信手段
としての機能を与えることを特徴とするプログラムである。
【符号の説明】
【００４９】
１００  情報取得手段
１０１  保存手段
１０２  検出手段
１０３  送信手段
１０４  情報収集システム
【図１】
2013186539.tif 000003
【図２】
2013186539.tif 000004
【図３】
2013186539.tif 000005